(57)【要約】      （修正有）【課題】使用者が電子装置に触れることなく、直接充電の状況を知ることが可能な、充電進度を表示可能なコネクタを提供する。【解決手段】ケース１０と、充電連結装置２０と、充電進度指示装置と、によって構成する。前記充電連結装置は、前記ケースの一端に設けられるとともに、前記充電進度指示装置に電気的に接続され、被充電設備に差し込むのに用いられる。前記充電進度指示装置は、マイクロコントローラーユニットと、第一ディスプレイユニット３２とからなる。前記マイクロコントローラーユニットは、前記充電連結装置とケーブルＣに電気的に接続される。前記第一ディスプレイユニットは前記ケースに設けられ、前記マイクロコントローラーユニットに電気的に接続される。前記第一ディスプレイユニットの表示により、使用者は、直接、充電の状況を知ることができる。【選択図】図１
0003173115.tif 000002
【実用新案登録請求の範囲】
【請求項１】
ケースと、充電連結装置と、充電進度指示装置と、によって構成する充電進度を表示可能なコネクタであって、
前記充電連結装置は、前記ケースの一端に設けられ、被充電設備に差し込むのに用いられ、
前記充電進度指示装置は、マイクロコントローラーユニットと、第一ディスプレイユニットとからなり、
前記マイクロコントローラーユニットは、前記充電連結装置とケーブルに電気的に接続され、
前記第一ディスプレイユニットは、前記ケースに設けられるとともに、前記マイクロコントローラーユニットに電気的に接続され、
電力が前記ケーブルに進入した後、前記充電連結装置を経由して前記被充電設備に進入し、それと同時に、前記マイクロコントローラーユニットによって前記第一ディスプレイユニットが駆動され、前記第一ディスプレイユニットは光を発し、
前記マイクロコントローラーユニットに、前記ケーブルから前記充電連結装置に流れる電流量が、充電が満タン状態の所定値より少ないと測定された時は、前記マイクロコントローラーユニットによって前記第一ディスプレイユニットが駆動され、前記第一ディスプレイユニットは、光が消えるか、或いは、光が点滅するか、光の色が変わることを特徴とする、充電進度を表示可能なコネクタ。
【考案の詳細な説明】
【技術分野】
【０００１】
本考案は充電用のコネクタに関し、特に充電進度指示装置が設けられたコネクタに関する。
【背景技術】
【０００２】
携帯式の電子製品は日増しに普及してきている。例えば、携帯電話、ＭＰ３プレイヤー、タブレットＰＣ、ポータブルゲーム機等の装置により、使用者はいつでも、電子メールを送受信したり、ネットサーフィンを行ったり、音楽を聴いたり、ゲームをしたりすることができる。これらの装置は、携帯して使用するのに便利なように、いずれも、充電電池が使用されている。
【０００３】
これらの装置の充電を行う際、使用者は、その装置の画面やランプからしか、電力の充満の程度を知ることができず、相当不便である。特に、現在幅広く使用されているタッチパネルモニターは、操作が便利である等の利点があるが、その消費電量は、その他の装置よりはるかに多く、しかも、モニターの表示からしか充電の程度を知ることができない。充電の程度を知るためには、使用者がタッチして操作をしなければならないばかりか、充電状態を表示するためにいくらかの電力を消費しなければならず、相当不便である。
【０００４】
ある種の充電器のプラグには電源指示ランプが設けられ、電力の接続が完了したかどうか確認することができる。プラグをコンセントに差し込み、さらにコネクタと電子装置を接続すると、ランプで接続が完成したことが表示される。しかしながら、コンセントは、通常、テーブルの上に設けられるため、観察しづらく、使用者は、腰を曲げないときちんと差し込まれたかを確認することができず、使用上不便である。また、プラグの外観から充電の状態を知ることができないため、使用上相当不便である。
【考案の概要】
【考案が解決しようとする課題】
【０００５】
そこで、本考案は、使用者が電子装置に触れることなく、直接充電の状況を知ることが可能な、充電進度を表示可能なコネクタを提供することを目的とする。
【課題を解決するための手段】
【０００６】
本考案による充電進度を表示可能なコネクタは、ケースと、充電連結装置と、充電進度指示装置と、によって構成する。前記充電連結装置は、前記ケースの一端に設けられ、被充電設備に差し込むのに用いられる。前記充電進度指示装置は、マイクロコントローラーユニット（Ｍｉｃｒｏ  Ｃｏｎｔｒｏｌ  Ｕｎｉｔ，  ＭＣＵ）と、第一ディスプレイユニットとからなる。前記マイクロコントローラーユニットは、前記充電連結装置とケーブルに電気的に接続される。前記第一ディスプレイユニットは、前記ケースに設けられるとともに、前記マイクロコントローラーユニットに電気的に接続される。電力が前記ケーブルに進入した後、前記充電連結装置を経由して前記被充電設備に進入し、それと同時に、前記マイクロコントローラーユニットによって前記第一ディスプレイユニットが駆動され、前記第一ディスプレイユニットは光を発する。また、前記マイクロコントローラーユニットに、前記ケーブルから前記充電連結装置に流れる電流量が、充電が満タン状態の所定値より少ないと測定された時は、前記マイクロコントローラーユニットによって前記第一ディスプレイユニットが駆動され、前記第一ディスプレイユニットは、光が消えるか、或いは、光が点滅するか、光の色が変わる。
【図面の簡単な説明】
【０００７】
【図１】本考案の実施例を示した斜視図である。
【図２】本考案の実施例を示した正面図である。
【図３】本考案の実施例の部材を示した分解斜視図である。
【考案を実施するための形態】
【０００８】
図１から図４を参照する。図１は、本考案の実施例を示した斜視図であり、図２は、本考案の実施例を示した正面図であり、図３は、本考案の実施例の部材を示した分解斜視図である。
【０００９】
図１から図３に示すように、本実施例の充電進度を表示可能なコネクタは、ケース１０と、充電連結装置２０と、充電進度指示装置３０と、によってなる。
【００１０】
充電連結装置２０は、ケース１０の一端に設けられ、被充電設備（図示せず）に差し込むことができる。
【００１１】
充電進度指示装置３０は、マイクロコントローラーユニット３１（Ｍｉｃｒｏ  Ｃｏｎｔｒｏｌ  Ｕｎｉｔ，  ＭＣＵ）と、第一ディスプレイユニット３２と、によって構成する。その内、マイクロコントローラーユニット３１は、充電連結装置２０とケーブルＣに電気的に接続される。第一ディスプレイユニット３２は、ケース１０に設けられるとともに、マイクロコントローラーユニット３１に電気的に接続される。マイクロコントローラーユニット３１は、通過する電流量を測定し、被充電設備が既に充電が満タン状態の所定値に達したか判断する。マイクロコントローラーユニット３１は通過する電流の大きさを正確に取得できるため、充電の状況を確実に判断することができる。
【００１２】
注意が必要なのは、従来の電流の大きさが所定値を超えているか判断する方法は、まず、拡大回路によって通過する電流量を取得し、さらに、その他の判断回路によって次の手順が決められる。しかしながら、この方法で得た電流情報は、拡大回路によって誤差や誤判断が生じ、しかも、電子回路は一旦製作が完成したら、充電が満タン状態の所定値の大きさなどを簡単に調整することができない。
【００１３】
しかしながら、マイクロコントローラーユニット３１は、内部で認証判断を行い、得た信号（即ち、電流量の大きさ）を識別することができる。それにより正確さを向上させることができる。また、マイクロコントローラーユニット３１に保存される所定値は、修正・調整を行ったり、或いは、その他の機能を加えたりすることができ、元々の電子回路の構造を変える必要がなく、拡張性が大幅に向上する。
【００１４】
電力がケーブルＣに進入した後、充電連結装置２０を経由して被充電設備に進入し、それと同時に、マイクロコントローラーユニット３１によって第一ディスプレイユニット３２が駆動され、第一ディスプレイユニット３２は光を発する。そして、マイクロコントローラーユニット３１によって、ケーブルＣから充電連結装置２０に流れる電流量が、充電が満タン状態の所定値より少ないと測定された時、マイクロコントローラーユニット３１によって第一ディスプレイユニット３２が駆動され、前記第一ディスプレイユニット３２は、光が消えるか、或いは、光が点滅するか、光の色が変わる。
【００１５】
本実施例では、使用者が第一ディスプレイユニット３２を見ると、電源の接続が成功したかどうか知ることができ、被充電設備内の電気量が上昇するに従い、流れる電流は次第に減り、通過する電流量が満タン状態の所定値より小さくなった時、前記第一ディスプレイユニット３２の状態が代わり、充電が既に完成したことが表示される。このように、使用者はモニターを開くことなく、充電が完了したかどうか知ることができるため、使用上の利便性が大幅に向上する。
【００１６】
以上で述べた例は、一実施形態にすぎず、そこから派生する適用範囲は広く、また、構造が簡単であるため、生産効率をあげコストを下げることもでき、産業利用価値を備える。本考案の技術主旨を逸脱しない範囲で行った変更や同じ効果をもつ修正は、いずれも後述の実用新案登録請求の範囲に含まれるものとする。
【符号の説明】
【００１７】
１０      ケース
２０      充電連結装置
３０      充電進度指示装置
３１      マイクロコントローラーユニット
３２      第一ディスプレイユニット
Ｃ        ケーブル
【図１】
0003173115.tif 000003
【図２】
0003173115.tif 000004
【図３】
0003173115.tif 000005